(57)【要約】      （修正有）【課題】特定の方向からの視線を遮りつつ、採光を確保し、グレア（まぶしさやぎらつき）を生じさせないルーバーを提供する。【解決手段】傾斜ルーバー１と、くし形ルーバー２を備え、傾斜ルーバー１が、見込方向に対して傾斜していて、見付方向に並んでおり、各傾斜ルーバー１の間に、くし形ルーバー２を設けてあるので、くし形ルーバー２によって、傾斜ルーバー１同士の間を通した視線が遮られる。また、室内に外部からの光が直接導光されることはなく、傾斜ルーバー１及び／又はくし形ルーバー２で反射した光が導光されるので、グレアを抑えることができる。【選択図】図１
2018127787.tif 000002
【特許請求の範囲】
【請求項１】
傾斜ルーバーと、くし形ルーバーを備え、傾斜ルーバーが、見込方向に対して傾斜していて、見付方向に並んでおり、各傾斜ルーバーの間に、くし形ルーバーを設けてあることを特徴とするルーバー。
【請求項２】
傾斜ルーバーと、拡散透過パネルを備え、傾斜ルーバーが、見込方向に対して傾斜していて、見付方向に並んでおり、各傾斜ルーバーの間に、拡散透過パネルを設けてあることを特徴とするルーバー。
【発明の詳細な説明】
【技術分野】
【０００１】
本発明は、建築物の窓の室外側に設置するルーバーに関する。
【背景技術】
【０００２】
建築物の窓において、外部からの視線を遮りつつ、採光を確保するために、窓の室外側にルーバーを設置する場合がある。従来のルーバーは、図８に示すように、平板状で見込方向に対して傾斜するルーバー材１０１を、見付方向に並べたものであった。
【発明の概要】
【発明が解決しようとする課題】
【０００３】
しかしながら、このような従来のルーバーにおいては、特定の方向（図８の矢印方向）からの視線は遮ることができず、また、この方向からの光は直接室内に導光されるため、グレア（まぶしさやぎらつき）を生じさせるものであった。
【０００４】
本発明は、上記事情を鑑みたものであり、採光を確保しつつ、グレアを生じさせないルーバーを提供することを目的とする。
【課題を解決するための手段】
【０００５】
本発明のうち請求項１の発明は、傾斜ルーバーと、くし形ルーバーを備え、傾斜ルーバーが、見込方向に対して傾斜していて、見付方向に並んでおり、各傾斜ルーバーの間に、くし形ルーバーを設けてあることを特徴とする。
【０００６】
本発明のうち請求項２の発明は、傾斜ルーバーと、拡散透過パネルを備え、傾斜ルーバーが、見込方向に対して傾斜していて、見付方向に並んでおり、各傾斜ルーバーの間に、拡散透過パネルを設けてあることを特徴とする。
【発明の効果】
【０００７】
本発明のうち請求項１の発明によれば、くし形ルーバーによって、傾斜ルーバー同士の間を通した視線が遮られるので、外部からの何れの方向の視線も遮ることができる。また、室内に外部からの光が直接導光されることはなく、傾斜ルーバー及び／又はくし形ルーバーで反射した光が導光されるので、グレアを抑えることができる。
【０００８】
本発明のうち請求項２の発明によれば、拡散透過パネルによって、傾斜ルーバー同士の間を通した視線が遮られるので、外部からの何れの方向の視線も遮ることができる。また、室内に外部からの光が直接導光されることはなく、拡散透過パネルを透過した光が導光されるので、グレアを抑えることができる。
【図面の簡単な説明】
【０００９】
【図１】ルーバーの第一実施形態の部分横断面図である。
【図２】第一実施形態の正面図である。
【図３】第一実施形態のくし形ルーバーのくし材の見付幅の決定方法の説明図である。
【図４】（ａ）は第一実施形態における視線の遮断の説明図、（ｂ）は第一実施形態における採光の説明図である。
【図５】放物線の焦点を通る光についての説明図である。
【図６】ルーバーの第二実施形態の正面図である。
【図７】ルーバーの第三実施形態の部分横断面図である。
【図８】従来のルーバーの部分横断面図である。
【発明を実施するための形態】
【００１０】
以下、本発明の実施の形態を図面に基づいて説明する。このルーバーは、建築物の窓の室外側に設置するものであり、以下において、左右とは、ルーバーを室外側から見た場合の左右方向（図２の左右方向）を示すものとする。ルーバーの第一実施形態は、図１及び図２に示すように、矩形の枠体１０を有し、枠体１０の内周側に、傾斜ルーバー１と、くし形ルーバー２を備えている。
【００１１】
傾斜ルーバー１は、上下方向に延びるものであって、複数本を見付方向（左右方向）に等間隔に並べて、枠体１０の上下に固定してある。各傾斜ルーバー１は、中空形材からなるものであって、室外側から室内側に向けて、見込方向（室内外方向）に対して左に傾斜しており、見込方向に対して傾斜する室外側面１１及び室内側面１２と、室外側の見付面１３を有する。さらに、図１に示す傾斜ルーバー１の水平方向断面形状について詳述すると、室外側面１１は、放物線形状となっており、室外側端が放物線の頂点であって、ルーバーの室外側面上（見付面１３と面一な面上）の、傾斜ルーバー１同士の隙間の左右方向中央に、放物線の焦点が位置している。一方、室内側面１２は、室外側部分が略直線形状で、室内側部分が室外側面１１と略同一の室内側に向けてわずかに凸な曲線形状となっている。そして、室外側面１１及び見付面１３は、平滑で、光の反射率が高く正反射成分の比率が大きな面であるのに対し、室内側面１２は、ローレット加工により細かい凹凸を形成してあり、光を拡散反射する面である。また、室外側面１１の室内側端部には、室外側に向けて開口し上下に延びる溝状の室内側被係合部１４を形成してあり、室内側面１２の室外側端部には、室内側に向けて開口し上下に延びる溝状の室外側被係合部１５を形成してある。なお、隣接する傾斜ルーバー１において、左側の傾斜ルーバー１の右端部（室外側端部）と右側の傾斜ルーバー１の左端部（室内側端部）の左右位置が一致している。
【００１２】
くし形ルーバー２は、隣接する傾斜ルーバー１の間に設けてあり、上下方向に延びる複数本のくし材３を、見込方向に等間隔に並べて構成したものである。各くし材３は、平板状のものであって、見付方向に水平な向きであり、各くし材３の右端部の左右位置が、そのくし形ルーバー２の左側に位置する傾斜ルーバー１の右端部（室外側端部）及び右側に位置する傾斜ルーバー１の左端部（室内側端部）の左右位置と一致している。そして、各くし材３の見付幅が、最も室外側のものから順に漸増し、見込方向中間部から漸減している。また、くし形ルーバー２は、見込方向に延びて各くし材３を連結する桟材３３を備え、この桟材３３は上下に間隔を空けて複数設けてある。なお、各くし材３及び各桟材３３は、一体に成形されたものである。さらに、最も室内側のくし材３には、室内側に向けて突出する突条からなる室内側係合部３４を形成してあり、最も室外側のくし材３には、室外側に向けて突出する突条からなる室外側係合部３５を形成してあって、くし形ルーバー２の室内側係合部３４を、傾斜ルーバー１の室内側被係合部１４に係合させ、くし形ルーバー２の室外側係合部３５を、傾斜ルーバー１の室外側被係合部１５に係合させて、くし形ルーバー２を傾斜ルーバー１に固定してある。そして、各くし材３の室外側面３１は、平滑で、光の反射率が高く正反射成分の比率が大きな面であるのに対し、室内側面３２は、ローレット加工により細かい凹凸を形成してあり、光を拡散反射する面である。
【００１３】
ここで、くし形ルーバー２の各くし材３の見付幅について、その決定方法を詳述する。くし形ルーバー２は外部からの視線を遮るためのものであるが、くし材３の見付幅が長いほど、確実に視線を遮ることはできるが、採光量が少なくなってしまう。そこで、くし形ルーバー２の各くし材３は、視線を遮ることができる最低限の長さとすることが望ましい。図３に示すように、室外側面における傾斜ルーバー１同士の間隔をａ、室内側面における傾斜ルーバー１同士の間隔をｇ、傾斜ルーバー１の見付面１３の見付幅をｆ、放物線形状である室外側面１１の頂点Ｏから焦点Ｆまでの距離をａ／２とすると、放物線の方程式から、傾斜ルーバー１の見込幅ｄ＝√２×ａとなる。また、くし形ルーバー２のくし材３同士の間隔をｂ、くし材３の見込幅（厚さ）をｃとし、さらに、ルーバーの室内側面から、最も室内側のくし材３の室外側面までの距離をｋ、ルーバーの室外側面から、最も室外側のくし材３の室内側面までの距離をｊとする。そして、傾斜ルーバー１の室内側面１２の室内側端Ｐを通る視線（図３の一点鎖線）を考えると、くし形ルーバー２の最も室内側のくし材３から数えてｍ１枚目のくし材３（見付幅ｘ１）について、ｍ１枚目のくし材３の左端とｍ１＋１枚目のくし材３の右端を結んだ直線が見付方向となす角度をα１、視線が見付方向となす角度をα２として、次の式（１）が満たされれば、視線は遮られる。
【数１】
2018127787.tif 000003
図３より、式（１）は、次の式（２）で表される。
【数２】
2018127787.tif 000004
そして、式（２）を変形して、次の式（３）のとおり、ｘ１の条件が求められる。
【数３】
2018127787.tif 000005
式（３）によれば、ｘ１は、室内側のくし材３（ｍ１が小さい）ほど長くなる。また、傾斜ルーバー１の室外側面１１の室外側端（頂点Ｏ）を通る視線（図３の二点鎖線）を考えると、くし形ルーバー２の最も室外側のくし材３を除外して（最も室外側のくし材３は、左端が左側の傾斜ルーバー１に連結されるので、長さは決まった値となる）、その次のくし材３から数えてｍ２枚目のくし材３（見付幅ｘ２）について、ｍ２枚目のくし材３の左端とｍ２−１枚目のくし材３の右端を結んだ直線が見付方向となす角度をβ１、視線が見付方向となす角度をβ２として、次の式（４）が満たされれば、視線は遮られる。
【数４】
2018127787.tif 000006
図３より、式（４）は、次の式（５）で表される。
【数５】
2018127787.tif 000007
そして、式（５）を変形して、次の式（６）のとおり、ｘ２の条件が求められる。
【数６】
2018127787.tif 000008
式（６）によれば、ｘ２は、室外側のくし材３（ｍ２が小さい）ほど長くなる。なお、図３において、Ｐより右側の点及びＯより左側の点からは、くし形ルーバー２のくし材３同士がより重なって見えるので、Ｐ及びＯを通る視線が遮られていれば、それ以外の点を通る視線も遮られていることになる。また、Ｐを通る視線について、α２が小さくなれば、視線はくし形ルーバー２がなくても、右側の傾斜ルーバー１により遮られるから、式（３）は、室外側の領域でのみ有効である。一方、Ｏを通る視線について、β２が小さくなれば、視線はくし形ルーバー２がなくても、左側の傾斜ルーバー１により遮られるから、式（６）は、室内側の領域でのみ有効である。その結果、くし形ルーバー２のくし材３の見付幅は、最も室外側のものから順に漸増し（式（３）による）、見込方向中間部から漸減する（式（６）による）。
【００１４】
このように構成した本発明のルーバーの第一実施形態によれば、上記のようにくし材３の見付幅を決定したくし形ルーバー２によって、図４（ａ）に示すように、傾斜ルーバー１同士の間を通した視線を遮り、室内外からの何れの方向の視線も遮りつつ、くし形ルーバー２のくし材３の見付幅を最低限の長さとすることで、最大限の採光量を確保できる。また、視線が通らないということは、室内に外部からの光が直接導光されることはなく、傾斜ルーバー１及び／又はくし形ルーバー２のくし材３で反射した光が導光される。そして特に、傾斜ルーバー１の室内側面１２及びくし形ルーバー２のくし材３の室内側面３２が、ローレット加工により細かい凹凸を形成した面となっており、図４（ｂ）に示すように、これらの面で光が拡散反射されるので、グレアを抑えることができる。さらに、傾斜ルーバー１の室外側面１１が放物線形状であることから、図５に示すように、放物線の焦点Ｆを通って入射する光が、入射角によらず、室外側面１１で見付方向（左右方向）に反射され、くし形ルーバー２を通り抜けて、隣接する傾斜ルーバー１の室内側面１２で拡散反射されるので、太陽光を効率よく室内に採り込める。
【００１５】
また、図６に示すのは、本発明のルーバーの第二実施形態である。第二実施形態は、第一実施形態と同じ形状の傾斜ルーバー１及びくし形ルーバー２を枠体１０の内周側に設けたものであるが、傾斜ルーバー１及びくし形ルーバー２のくし材３が、上下方向に対して傾斜して延びる向きに設けてある点が、第一実施形態とは異なっている。このように傾斜ルーバー１及びくし形ルーバー２を傾斜させることで、室外側の上方から射し込む太陽光（図中の実線矢印）が上方に向けて反射され（図中の破線矢印）、天井面に導光されるので、室内を明るくすることができる。なお、より効率的に太陽光を反射するために、ルーバーを設置する窓の方角に応じて、傾斜ルーバー１及びくし形ルーバー２の傾斜方向を変えてもよい。
【００１６】
次に、図７に基づき、本発明のルーバーの第三実施形態について説明する。第三実施形態は、矩形の枠体１０を有し、枠体１０の内周側に、傾斜ルーバー１と、拡散透過パネル４を備えている。このうち、枠体１０と傾斜ルーバー１は、第一実施形態と同じものである。
【００１７】
拡散透過パネル４は、隣接する傾斜ルーバー１の間に設けてあり、上下方向に延び見込方向に水平な向きの乳白色の樹脂製平板からなり、入射した光を、拡散して透過させるものである。そして拡散透過パネル４の左右位置は、拡散透過パネル４の左側の傾斜ルーバー１の右端部（室外側端部）と右側の傾斜ルーバー１の左端部（室内側端部）の左右位置と一致している。また、拡散透過パネル４の室内側端部と室外側端部には、それぞれ略Ｌ字形の室内側係合部４１と室外側係合部４２を形成してあって、拡散透過パネル４の室内側係合部４１を、傾斜ルーバー１の室内側被係合部１４に係合させ、拡散透過パネル４の室外側係合部４２を、傾斜ルーバー１の室外側被係合部１５に係合させて、拡散透過パネル４を傾斜ルーバー１に固定してある。
【００１８】
このように構成した本発明のルーバーの第三実施形態によれば、傾斜ルーバー１同士の隙間が、全て乳白色の拡散透過パネル４により塞がれているので、室内外からの何れの方向の視線も遮りつつ、採光を確保できる。また、外部からの光は、全て拡散透過パネル４を通ることで拡散され、そのまま室内へ入射するか、傾斜ルーバー１の室内側面１２でさらに拡散反射されて室内へ入射するので、グレアを抑えることができる。
【００１９】
また、第四実施形態として、第三実施形態と同じ形状の傾斜ルーバー１及び拡散透過パネル４を、第二実施形態と同じように、上下方向に対して傾斜して延びる向きに設けてもよい。このように傾斜ルーバー１及び拡散透過パネル４を傾斜させることで、第二実施形態と同様に、室外側の上方から射し込む太陽光が上方に向けて反射され、天井面に導光されるので、室内を明るくすることができる。なお、より効率的に太陽光を反射するために、ルーバーを設置する窓の方角に応じて、傾斜ルーバー１及び拡散透過パネル４の傾斜方向を変えてもよい。
【００２０】
本発明は、上記の実施形態に限定されない。たとえば、傾斜ルーバー、くし形ルーバー及び拡散透過パネルの形状は、上記の要件を満たすものであれば、どのようなものであってもよい。傾斜ルーバーの室外側面は放物線形状であることが望ましいが、その焦点の位置は、傾斜ルーバー同士の隙間の左右方向中央に限られず、ルーバーの室外側面上のどこにあってもよい。また、くし形ルーバーのくし材同士の間隔が一定でなくてもよい。そして、傾斜ルーバー及び／又はくし形ルーバーのくし材の室内側面は、拡散反射面であることが望ましいが、この拡散反射面とは、少なくとも室外側面より拡散反射成分の比率が大きい面であり、ローレット加工以外の表面加工、塗装、別部材による被覆など、どのように形成されるものであってもよい。さらに、拡散透過パネルは、光を通しつつ直進を妨げるものであればよく、半透明の樹脂板・ガラス板や、すりガラスのように表面に凹凸を形成したもの、または透明板の表面に乳白色や半透明のフィルムを貼ったものなど、どのようなものであってもよい。
【符号の説明】
【００２１】
１  傾斜ルーバー
２  くし形ルーバー
４  拡散透過パネル
【図１】
2018127787.tif 000009
【図２】
2018127787.tif 000010
【図３】
2018127787.tif 000011
【図４】
2018127787.tif 000012
【図５】
2018127787.tif 000013
【図６】
2018127787.tif 000014
【図７】
2018127787.tif 000015
【図８】
2018127787.tif 000016